(57)【要約】【課題】簡単な構成でありながらストロボ撮影時の赤目現象を軽減する。【解決手段】ストロボ発光部１４を一体的に備えたレンズバリア１２がカメラ本体１１のレール溝１１ａ，１１ｂを介して移動自在に設けられている。撮影レンズ２６を覆う閉位置からボタン２０に当接する第１開位置までレンズバリア１２を移動させると、撮影レンズ２６が露呈される。第１開位置では、シャッタボタン１９を押し下げることにより自然光撮影が行なわれる。ボタン２０を押し込みながらレンズバリア１２を第２開位置まで移動させると、ボタン２０が突出位置に復帰してレンズバリア１２が第２開位置に位置決めされる。第２開位置では、撮影レンズ２６の光軸Ｌ１とストロボ発光部１４の中心軸Ｌ２との距離ＬＤが十分に大きくなるから、赤目現象が発生しないストロボ撮影が可能となる。【選択図】図４
2008139459.tif 000002
【特許請求の範囲】
【請求項１】
ストロボ発光部からストロボ光を発光してストロボ撮影を行なうストロボ装置と、
前記ストロボ発光部を一体的に備え、撮影レンズを覆い隠す閉位置と、撮影レンズを露呈するとともに撮影レンズからストロボ発光部を離し、前記ストロボ撮影を許容する開位置との間で移動自在に設けられたレンズバリアと
を設けたことを特徴とする撮影装置。
【請求項２】
ストロボ発光部からストロボ光を発光してストロボ撮影を行なうストロボ装置と、
前記ストロボ発光部を一体的に備え、撮影レンズを覆い隠す閉位置と、撮影レンズを露呈して自然光撮影を行なう第１開位置と、この第１開位置よりも更に撮影レンズから離れ、前記ストロボ撮影を許容する第２開位置との各間で移動自在に設けられたレンズバリアと
を設けたことを特徴とする撮影装置。
【請求項３】
装置本体の表面から突出した突出位置と表面から突出しない退避位置との間で進退自在に設けられ、前記突出位置ではレンズバリアに係合してその位置を規制し、前記退避位置ではレンズバリアの移動を許容する突起部材と、この突起部材を退避位置から突出位置へ向かって付勢する付勢部材とを設けたことを特徴とする請求項１または２記載の撮影装置。
【発明の詳細な説明】
【技術分野】
【０００１】
本発明は、撮影装置に関し、更に詳しくはストロボ装置とレンズバリアとを備えた撮影装置に関するものである。
【背景技術】
【０００２】
撮影装置としては、写真フイルムを用いる銀塩カメラの他、ＣＣＤやＣＭＯＳイメージセンサなどの撮像素子を用いて画像を撮影するデジタルカメラやカメラ付き携帯電話などが普及している。このような撮影装置には、明るさが十分でない状況下でも撮影できるように、ストロボ光をストロボ発光部から被写体に照射してストロボ撮影を行なうストロボ装置を備えたものが多く市販されている。
【０００３】
一方、前記ストロボ撮影時には、いわゆる“赤目現象”が発生する場合がある。この赤目現象は、ストロボ発光部の中心と撮影レンズの光軸との距離が小さい場合に、ストロボ光が瞳孔を通して眼球内に入射し、眼球内の血管によって赤色光が反射され、人物の瞳孔が赤く再現されるものである。
【０００４】
コンパクトタイプの撮影装置では、前記ストロボ発光部の中心と撮影レンズの光軸との距離を長くとることができないので、前記赤目現象が発生しやすい。このため、従来からストロボ撮影時には、ストロボ発光部がポップアップしてストロボ発光部が撮影レンズから離れるようにした銀塩カメラが知られている。
【０００５】
また、撮影レンズを覆ってカメラボディと一体化される閉位置と、撮影レンズを露呈する開位置との間で回動自在に設けられ、開位置では、ストロボ発光部の取り付けられたアーム部が延びて更に撮影レンズとの距離が大きくなるようにした自動飛び出し型フラッシュユニット付きコンパクトカメラが知られている（例えば特許文献１）。
【０００６】
また、ストロボ発光部のフレネルレンズの背後に赤目軽減ランプを設けたストロボ内蔵式カメラが知られている（例えば特許文献２）。前記赤目軽減ランプは、周知のように、シャッタボタンの押圧操作に連動してストロボ光の発光が行なわれる直前に点滅発光して、被写体の広く開いていた瞳孔を小さくすることにより、赤目現象を目立ちにくくするものである。
【特許文献１】特開平６−２３５９５６号公報
【特許文献２】特開平８−２０１８８８号公報
【発明の開示】
【発明が解決しようとする課題】
【０００７】
上記特許文献１記載のカメラでは、ストロボ発光部のポップアップする機構が複雑である。また、上記特許文献２記載のカメラでは、赤目軽減ランプが必要であるとともに、フレネルレンズを通常のサイズよりも大きくする必要があるという問題がある。
【０００８】
本発明は、上記のような問題点を解決するためになされたもので、簡単な構成でありながらストロボ撮影時の赤目現象を軽減できる撮影装置を提供することを目的とする。
【課題を解決するための手段】
【０００９】
本発明の撮影装置は、ストロボ発光部からストロボ光を発光してストロボ撮影を行なうストロボ装置と、前記ストロボ発光部を一体的に備え、撮影レンズを覆い隠す閉位置と、撮影レンズを露呈するとともに撮影レンズからストロボ発光部を離し、前記ストロボ撮影を許容する開位置との間で移動自在に設けられたレンズバリアとを設けたことを特徴とする。
【００１０】
また、ストロボ発光部からストロボ光を発光してストロボ撮影を行なうストロボ装置と、前記ストロボ発光部を一体的に備え、撮影レンズを覆い隠す閉位置と、撮影レンズを露呈して自然光撮影を行なう第１開位置と、この第１開位置よりも更に撮影レンズから離れ、ストロボ撮影を許容する第２開位置との各間で移動自在に設けられたレンズバリアとを設けたことを特徴とする。
【００１１】
また、装置本体の表面から突出した突出位置と表面から突出しない退避位置との間で進退自在に設けられ、前記突出位置ではレンズバリアに係合してその位置を規制し、前記退避位置ではレンズバリアの移動を許容する突起部材と、この突起部材を退避位置から突出位置へ向かって付勢する付勢部材とを設けたことを特徴とする。
【発明の効果】
【００１２】
本発明の撮影装置によれば、ストロボ発光部をレンズバリアに一体的に設け、レンズバリアを、撮影レンズを覆い隠す閉位置と、撮影レンズを露呈するとともにストロボ発光部を撮影レンズから離し、ストロボ撮影を許容する開位置との間で移動自在に設けたので、簡単な構成でありながらストロボ撮影時の赤目現象を軽減できる。また、ストロボ発光部をレンズバリアに一体的に設け、レンズバリアを、撮影レンズを覆い隠す閉位置と、自然光撮影を行なう第１開位置と、この第１開位置よりも更に撮影レンズから離れ、ストロボ撮影を許容する第２開位置との各間で移動自在に設けたので、簡単な構成でありながらストロボ撮影時の赤目現象を軽減できる。また、装置本体の表面から進退自在に突出してレンズバリアに係合するボタンによりレンズバリアの移動を規制するので、簡単な構成でありながらレンズバリアの不用意な移動を防止できる。
【発明を実施するための最良の形態】
【００１３】
本発明の実施形態であるデジタルカメラを示す図１において、デジタルカメラ１０は、スリムなコンパクトタイプである。矩形状をしたカメラ本体１１の前面と上面には、図面左右方向に長いレール溝１１ａ，１１ｂが形成され、これに案内されてレンズバリア１２が左右方向に移動自在に設けられている。このレンズバリア１２は、縦に細長い形状をしており、その前面上方部には、ストロボ発光部１４が一体的に設けられている。
【００１４】
前記ストロボ発光部１４は、フレキシブル配線基板１５によりカメラ本体１１に内蔵されたストロボ回路基板１６に接続されている。また、このストロボ回路基板１６には、メインコンデンサ１７が実装されている。なお、本発明に係るストロボ装置は、ストロボ発光部１４，フレキシブル配線基板１５及びストロボ回路基板（メインコンデンサ１７を含む）１６から構成される。
【００１５】
また、カメラ本体１１の右手で把持される側の上面には、シャッタボタン１９が配設されている。また、カメラ本体１１の前面の中央下方部には、円柱状のボタン２０が突設されている。このボタン２０は、図２に示すように、後部にＬ字型の支持板２１を一体に備え、これに突設されたピン２２とカメラ本体１１の内壁面との間にかけ渡されたバネ２３によって孔１１ｃから外部に突出する方向に付勢されている。前記ボタン２０をユーザが指で押圧すると、ボタン２０がバネ２３の付勢に抗して引っ込み、押圧を止めると、バネ２３の付勢によってボタン２０が元の位置に突出する。
【００１６】
前記レンズバリア１２は、図１に示す閉位置では、図示しないクリックストップ機構によりクリックストップされ、撮影レンズ２６（図３参照）を覆い隠している。この閉位置からレンズバリア１２をボタン２０の周面に当接する第１開位置まで移動させると、図３に示すように、前記撮影レンズ２６が露呈され、ストロボ発光を伴わない自然光撮影を行なうことができる。また、この第１開位置では、図示しないクリックストップ機構によりレンズバリア１２はクリックストップされる。
【００１７】
ボタン２０を指で押し込みながらレンズバリア１２を第１開位置から更に撮影レンズ２６から離れる方向へ移動させ、レンズバリア１２がボタン２０を乗り越えてレール溝１１ａ，１１ｂの端部に到達すると、ボタン２０が突出位置に復帰して、図４に示すように、レンズバリア１２が、レール溝１１ａ，１１ｂの端部とボタン２０とで挟まれ、第２開位置に位置決めされる。
【００１８】
この第２開位置にレンズバリア１２が停止されると、自動的にストロボ回路基板１６のストロボ回路に電源が投入され、ストロボ回路基板１６に取り付けられたメインコンデンサ１７が充電される。シャッタボタン１９を押圧操作すれば、ＡＥ測光が行なわれ、これで決定された絞り値のセットが行なわれるが、ＡＥ測光の結果、光量不足であると判断されると、ストロボ回路のトリガースイッチがオンになってストロボ発光部１４からストロボ光が発光される。続いて、ＣＣＤの電荷を強制的にドレインしてから、ＣＣＤの光電変換を開始する。露光時間が経過すると、ＣＣＤの光電変換が停止される。
【００１９】
ＣＣＤからフレーム画を読み出し、周知の画像処理（Ａ／Ｄ変換，ガンマ変換、ホワイトバランス、シャーブネス処理、ＹＣ変換など）をしてから、ＳＤＲＡＭに書き込む。ＳＤＲＡＭから画像データを読み出して、圧縮処理をしてからメディアコントローラを介してメモリカードに記録する。
【００２０】
前記第２開位置では、撮影レンズ２６の光軸Ｌ１とストロボ発光部１４の中心軸Ｌ２との距離ＬＤが光軸Ｌ１を中心とする仮想半径ｒより大きくなり（ＬＤ＞ｒ）、赤目現象が発生しない。この仮想半径ｒは、下記に示す周知の数式（１）を満足する値である。なお、記号ＧＮは、ＩＳＯ１００に対するストロボ装置のガイドナンバーを表わす。この数式１については、特公昭５８−２００２１号公報に詳しく記載され、周知となっているから説明を省略する。
【００２１】
【数１】
2008139459.tif 000003
【００２２】
このようにレンズバリア１２の上方部にストロボ発光部１４を設け、レンズバリア１２の移動に伴ってストロボ発光部１４を撮影レンズ２６から十分に離すことができるから、簡単な構成でありながら赤目現象の発生を防止できる。
【００２３】
撮影が終了したら、ボタン２０を指で押し込みながらレンズバリア１２を閉位置まで移動させれば、撮影レンズ２６がレンズバリア１２によって保護された状態でデジタルカメラ１０を安全に携行することができる。
【００２４】
以上説明した実施形態では、レンズバリアを閉位置，第１開位置，第２開位置の各間で移動させるようにしたが、本発明はこれに限定されることなく、例えば第１開位置を省略して、レンズバリアを閉位置と第２開位置との間で移動させるようにしてもよい。この場合、第２開位置では、自然光撮影とストロボ撮影の両方を任意にできるようにするか、被写体の輝度に応じて自動的にストロボ光を発光する自動発光モードとするのがよい。
【００２５】
また、上記実施形態では、距離ＬＤが数式（１）を満足する仮想半径ｒより大きくなるようにしたが、本発明はこれに限定されることなく、たとえ距離ＬＤが数式（１）を満足していなかったとしても、ストロボ発光部が撮影レンズから離れていればいるだけ、赤目現象の発生は軽減されるから、前記第２開位置での距離ＬＤができるだけ大きくなるようにするのがよい。
【００２６】
また、上記実施形態では、カメラ本体から進退自在に突設したボタンによってレンズバリアの位置を規定したが、本発明はこれに限定されることなく、例えば周知のクリックストップ機構によってもよい。また、メインコンデンサを含むストロボ回路基板をカメラ本体内に設けたが、ストロボ回路基板をレンズバリア内に設けてもよく、また基板と分離してメインコンデンサのみをレンズバリア内に配置してもよい。
【００２７】
また、上記実施形態は、デジタルカメラを例に説明したが、本発明はこれに限定されることなく、例えばカメラ付き携帯電話や銀塩カメラなどでもよい。
【図面の簡単な説明】
【００２８】
【図１】レンズバリアを閉位置にセットした本発明の実施形態であるデジタルカメラの外観を示す斜視図である。
【図２】レンズバリアの位置を規制するボタンの構成を示す断面図である。
【図３】レンズバリアを第１開位置にセットしたデジタルカメラの外観を示す斜視図である。
【図４】レンズバリアを第２開位置にセットしたデジタルカメラの外観を示す斜視図である。
【符号の説明】
【００２９】
１０  デジタルカメラ
１１  カメラ本体
１２  レンズバリア
１４  ストロボ発光部
１６  ストロボ回路基板
１７  メインコンデンサ
１９  シャッタボタン
２０  ボタン
２３  バネ
２６  撮影レンズ
【図１】
2008139459.tif 000004
【図２】
2008139459.tif 000005
【図３】
2008139459.tif 000006
【図４】
2008139459.tif 000007